(57)【特許請求の範囲】
【請求項１】
画像が印刷された複数の独立印刷物、
静止画像取得機能を有するカメラを備えた第一端末、
第一端末と通信ネットワークを介在して通信可能に接続される一または複数のサーバにより構成される特典付与サーバからなる印刷画像を用いる特典付与システムであって、
第一端末は、
前記カメラの撮影領域に配列された前記複数の独立印刷物を撮影し、撮影配列画像を前記特典付与サーバに送信する第一端末送信手段を備え、
前記特典付与サーバは、
第一端末を特定するための第一端末識別子を予め記憶した第一端末記憶手段、
前記複数の独立印刷物を特定の相対位置に配列した画像である基準配列画像を予め記憶した基準画像記憶手段、
第一端末から送信された撮影配列画像を受取る第一受取り手段、
前記受取った撮影配列画像と前記基準画像記憶手段に記憶された基準配列画像を比較してその一致・不一致を判別する画像判別手段、
前記画像判別手段により撮影配列画像と基準配列画像が一致と判別された場合に、第一端末に対応した特典付与マークを記憶する第一端末対応特典記憶手段を備えた特典付与システム。
【請求項２】
前記特典付与サーバは、さらに、
特典コードが予め記憶された特典コード記憶手段と、
第一端末対応特典記憶手段に特典付与マークが記憶された場合に、前記特典コード記憶手段から前記特典コードを取得し、第一端末に配信する第一配信手段を備え、
第一端末は、さらに、
前記特典コードを受信する第一端末受信手段を備えた請求項１に記載した特典付与システム。
【請求項３】
前記複数の独立印刷物が、トレーディングカード、その他のカード、ゲーム攻略本、その他の書籍、雑誌、ちらし、福引券、店舗にて配布される印刷物、商品購入者に渡す印刷物、商品包装、商品同封書類、掲示物からなる印刷物種類の中から選択される同一種、または複数種の独立印刷物である請求項１乃至２いずれかに記載した特典付与システム。
【請求項４】
第一端末が携帯電話である請求項１乃至３いずれかに記載した特典付与システム。
【請求項５】
さらに、前記特典付与サーバと通信可能に接続される第二特典実行サーバと、第二特典実行サーバと通信可能に接続される第二端末から構成され、
第二端末は、特典実行信号を送信する第二端末送信手段を備え、
第二特典実行サーバは、
第二端末からの特典実行信号を受取る第二受取り手段と
第一端末と第二端末を対応付ける第一端末識別子と第二端末識別子を予め記憶した第二端末対応付記憶手段と、
プログラムが予め記憶されたプログラム記憶手段と、
第二受取り手段が特典実行信号を受取った時に、第二端末対応付記憶手段に照会して、当該第二端末に対応付けられた第一端末識別子を取得し、前記特典付与サーバに第一端末識別子を送信し、第一端末対応特典記憶手段に特典付与マークが記憶されているか否かを照会する特典照会手段と、
特典付与マーク有の場合に、前記プログラム記憶手段から前記プログラムを取得し、第二端末に配信する第二配信手段を有し、
第二端末は、
第二特典実行サーバから配信された前記プログラムを受信する第二受信手段と、
前記プログラムを実行表示する実行表示手段を有する請求項１乃至４いずれかに記載した特典付与システム。
【請求項６】
第一端末と第二端末が同一端末である請求項５に記載した特典付与システム。
【請求項７】
さらに、前記特典付与サーバと通信可能に接続される第三特典実行サーバと、第三特典実行サーバと通信可能に接続される第三端末から構成され、
第三端末は、特典実行信号を送信する第三端末送信手段を備え、
第三特典実行サーバは、
第三端末からの特典実行信号を受取る第三受取り手段と、
第一端末と第三端末を対応付ける第一端末識別子と第三端末識別子を予め記憶した第三端末対応付記憶手段と、
コンテンツが予め記憶されたコンテンツ記憶手段と、
第三受取り手段が特典実行信号を受取った時に、第三端末対応付記憶手段に照会して、前記第三端末に対応付けられた第一端末識別子を取得し、前記特典付与サーバに端末識別子を送信し、第一端末対応特典付与記憶手段内に特典付与マークが記憶されているか否かを照会する特典照会手段と、
特典付与マーク有の場合に、前記コンテンツ記憶手段から前記コンテンツを取得し、第三端末に配信する第三配信手段を有し、
第三端末は、
第三特典実行サーバから配信された前記コンテンツを受信する第三受信手段と、
前記コンテンツを再生する再生手段を有する請求項１乃至４いずれかに記載した特典付与システム。
【請求項８】
第一端末と第三端末が同一端末である請求項７に記載した特典付与システム。
【発明の詳細な説明】
【技術分野】
【０００１】
本発明は複数の独立印刷物を用いる、端末装置とサーバからなる特典付与システムである。より詳しくは、画像が印刷された独立の印刷物を複数用いてこれらを一定の状態に配列し、その配列画像を端末装置にて撮影し撮影配列画像を得て、これをサーバに送信し、当該撮影配列画像と当該サーバに予め記憶された基準配列画像が一致した場合に、当該端末装置の操作者に特典を付与する特典付与システムである。
【背景技術】
【０００２】
従来、バーコードが印刷された印刷物を配布し、当該バーコードに埋め込まれた情報を用いる顧客サービス方法が知られている（例えば、特許文献１参照）。当該顧客サービス方法は、印刷物の配布と、例えばバーコード・リーダ付き携帯電話機から、バーコードに含まれる動作識別情報及び対象識別情報とを受信する受信ステップと、受信した動作識別情報に対応する処理（情報の取得、商品の発注、セールスマンの派遣）を対象識別情報に関連して実施するステップとを含む。
【０００３】
また、従来、二次元コードパターン（二次元コードの一例はＱＲコード（登録商標）である）を付加した映像を用いる宣伝支援システムが知られている（例えば、特許文献２参照）。当該宣伝支援システムは、宣伝用の映像コンテンツに対してこの映像を識別する二次元コードパターンを付加して顧客向けのディスプレイ装置に表示されている状態において、本部サーバは、この二次元コードパターンを撮影した顧客所持の携帯端末装置から移動体通信網、ネットワークを介してその撮影画像及び顧客情報を受信取得すると共に、この撮影画像に含まれている二次元コードの真偽を判定し、その結果、正規な二次元コードを撮影したものと判定された場合に、当該顧客に対して特典サービスを付与する。好ましい実施形態にあっては、二次元コードを複数に分割し、各分割パターンを当該映像の所定位置に埋め込み、分割パターンの個々を撮影した各撮影画像を組み合わせることにより、得られた合成画像を二次元コードパターンとしている。
【０００４】
【特許文献１】特開２００２−２８１１７９号公報
【特許文献２】特開２００７−４９５８４号公報（特に、請求項２）
【発明の開示】
【発明が解決しようとする課題】
【０００５】
近年、需要者の行動パターンは多様化しており、たとえ特典が付与されるものであっても、単なる受動的行動による特典要求だけでは、じきにあきられてしまうことがある。
【０００６】
特許文献１の顧客サービス方法は、単一の印刷物に付されたバーコードにより、サービスを行う情報が完結している。このため、需要者が必要な行為は、バーコードを読み取り機にかざすのみである。このサービス要求行動は受動的な行為である。
【０００７】
特許文献２の宣伝支援システムは、需要者が二次元コードを複数回撮影する行為を要求するものであるが、システム提供者側が撮影時期を指定するものであり、やはり、受動的な行為である。
【０００８】
また、特典応募のために端末側にプログラムが必要であれば、操作が必要であり、また、悪意にあるプログラムの混入を回避する行為が必要であったり、同様の心理が働いたりして、初期のハードルが高くなる。
【０００９】
そこで、解決しようとする問題点は、需要者側においても、主体的行動を必要とし、特典要求にゲーム性を付加した特典システムを提供するものである。また、特典システムにくじ的要素を加味し、あたりを変更可能とする特典システムを提供するものである。さらに、端末側は、変更なし、あるいは単純な変更のみで応募可能な特典システムとするものである。
【課題を解決するための手段】
【００１０】
本発明の一の態様にかかる特典付与システムは、
画像が印刷された複数の独立印刷物、静止画像取得機能を有するカメラを備えた第一端末、第一端末と通信ネットワークを介在して通信可能に接続される一または複数のサーバにより構成される特典付与サーバからなる印刷画像を用いる特典付与システムであって、
第一端末は、前記カメラの撮影領域に配列された前記複数の独立印刷物を撮影し、撮影配列画像を前記特典付与サーバに送信する第一端末送信手段を備え、
前記特典付与サーバは、第一端末を特定するための第一端末識別子を予め記憶した第一端末記憶手段、前記複数の独立印刷物を特定の相対位置に配列した画像である基準配列画像を予め記憶した基準画像記憶手段、第一端末から送信された撮影配列画像を受取る第一受取り手段、前記受取った撮影配列画像と前記基準画像記憶手段に記憶された基準配列画像を比較してその一致・不一致を判別する画像判別手段、前記画像判別手段により撮影配列画像と基準配列画像が一致と判別された場合に、第一端末に対応した特典付与マークを記憶する第一端末対応特典記憶手段を備えた。
【００１１】
本発明において、「特典」は、有償の商品や有償のサービスに付随するものであってもよく、また、特典自体を有償で取引の対象にするものであってもよい。
【００１２】
本発明の好ましい態様にかかる特典付与システムは、
前記特典付与サーバは、さらに、特典コードが予め記憶された特典コード記憶手段と、
第一端末対応特典記憶手段に特典付与マークが記憶された場合に、前記特典コード記憶手段から前記特典コードを取得し、第一端末に配信する第一配信手段を備え、
第一端末は、さらに、前記特典コードを受信する第一端末受信手段を備えたものであってもよい。
【００１３】
本好ましい態様によれば、特典の応募と実行は第一端末の操作のみで完結する。このため、応募者にとっては、より気軽に応募と実行ができるシステムである。一方、システム提供者にとっては、システムが簡略化される。
【００１４】
特典コードを例示すれば、バーコード、二次元コード、画像、数字、文字、音楽、動画、プログラム、またはこれらの組み合わせに関するコードである。
【００１５】
本発明のその他の好ましい実施態様にかかる特典付与システムは、
前記複数の独立印刷物が、トレーディングカード、その他のカード、ゲーム攻略本、その他の書籍、雑誌、ちらし、福引券、店舗にて配布される印刷物、商品購入者に渡す印刷物、商品包装、商品同封書類、掲示物からなる印刷物種類の中から選択される同一種、または複数種の独立印刷物であってもよい。
【００１６】
これら印刷物は、従来から、商品自体であったり、商品販売や役務提供に付随する印刷物であったりする。このため、本システムのために特別に準備する印刷物ではないので、システムの導入や維持に費やす費用が削減される。もっとも、複数の独立印刷物は、本システムのために特別に印刷される印刷物であってもよい。
【００１７】
店舗にて配布される印刷物の一例は、店舗にて来客に配布するちらし、後日の特売品を記載した書面などである。商品購入者に渡す印刷物の一例は、計算書、領収書、保証書などである。
【００１８】
本発明のその他の好ましい実施態様にかかる特典付与システムは、第一端末が携帯電話であってもよい。
【００１９】
携帯電話機は広く普及しており、本システムの導入および／又は維持費用が軽減される。
【００２０】
本発明のその他の好ましい実施態様にかかる特典付与システムは、
さらに、前記特典付与サーバと通信可能に接続される第二特典実行サーバと、第二特典実行サーバと通信可能に接続される第二端末から構成され、
第二端末は、特典実行信号を送信する第二端末送信手段を備え、
第二特典実行サーバは、第二端末からの特典実行信号を受取る第二受取り手段と
第一端末と第二端末を対応付ける第一端末識別子と第二端末識別子を予め記憶した第二端末対応付記憶手段と、プログラムが予め記憶されたプログラム記憶手段と、第二受取り手段が特典実行信号を受取った時に、第二端末対応付記憶手段に照会して、当該第二端末に対応付けられた第一端末識別子を取得し、前記特典付与サーバに第一端末識別子を送信し、第一端末対応特典記憶手段に特典付与マークが記憶されているか否かを照会する特典照会手段と、特典付与マーク有の場合に、前記プログラム記憶手段から前記プログラムを取得し、第二端末に配信する第二配信手段を有し、
第二端末は、第二特典実行サーバから配信された前記プログラムを受信する第二受信手段と、前記プログラムを実行表示する実行表示手段を有していてもよい。
【００２１】
本発明によれば、特典への応募と特典プログラムの実行が、応募者主体で行われる。
【００２２】
本発明のその他の好ましい実施態様にかかる特典付与システムは、第一端末と第二端末が同一端末であってもよい。
【００２３】
本発明のその他の好ましい実施態様にかかる特典付与システムは、
さらに、前記特典付与サーバと通信可能に接続される第三特典実行サーバと、第三特典実行サーバと通信可能に接続される第三端末から構成され、
第三端末は、特典実行信号を送信する第三端末送信手段を備え、
第三特典実行サーバは、第三端末からの特典実行信号を受取る第三受取り手段と、第一端末と第三端末を対応付ける第一端末識別子と第三端末識別子を予め記憶した第三端末対応付記憶手段と、コンテンツが予め記憶されたコンテンツ記憶手段と、第三受取り手段が特典実行信号を受取った時に、第三端末対応付記憶手段に照会して、前記第三端末に対応付けられた第一端末識別子を取得し、前記特典付与サーバに端末識別子を送信し、第一端末対応特典付与記憶手段内に特典付与マークが記憶されているか否かを照会する特典照会手段と、特典付与マーク有の場合に、前記コンテンツ記憶手段から前記コンテンツを取得し、第三端末に配信する第三配信手段を有し、
第三端末は、第三特典実行サーバから配信された前記コンテンツを受信する第三受信手段と、前記コンテンツを再生する再生手段を有していてもよい。
【００２４】
本発明によれば、特典への応募と特典コンテンツの再生が、応募者主体で行われる。
【００２５】
本発明のその他の好ましい実施態様にかかる特典付与システムは、第一端末と第三端末が同一端末であってもよい。
【００２６】
以上説明した本発明、本発明の好ましい実施態様、これらに含まれる構成要素は可能な限り組み合わせて実施することができる。
【発明の効果】
【００２７】
本発明にかかる特典付与システムは、需要者の主体性を必要とし、システムにゲーム性を付加するものであり、需要者の興味をかきたて、需要者を応募に向かわせるものである。また、基準配列画像を変更するのみで、あたりを変更できるので、需要者にとっては興味を継続可能であり、提供者にとっては経費をかけることなく、サービスを目新しくすることができる。さらに、端末側の変更が少なく、システムの提供者と需要者共に、初期の参加ハードルが低い。
【発明を実施するための最良の形態】
【００２８】
以下、図面を参照して本発明の実施例にかかる特典付与システムをさらに説明する。本発明の実施例に記載した動作を司る部分や記憶手段、その相対位置などは、とくに特定的な記載のない限りは、この発明の範囲をそれらのみに限定する趣旨のものではなく、単なる説明例にすぎない。
【００２９】
本発明にかかる第一特典付与システムを説明する。図１は第一特典付与システム１の概略説明図である。
【００３０】
図１を参照して、第一特典付与システム１は配列印刷物２０、第一端末４、特典付与サーバ７からなる。本実施例にかかる配列印刷物２０は、コンピュータゲームにかかる攻略本と、トレーディングカードからなるものである。
【００３１】
本願発明にいう、「画像が印刷された複数の独立印刷物」の「画像」とは、写真、具象イラスト、抽象イラスト、文字などを意味する。単一の印刷物に印刷された画像の種類は、一種類であっても、複数種類であってもよい。例えば、単一の画像は、写真と文字からなるものであってもよく、また、例えば、写真、抽象イラストと文字からなるものであってもよい。
【００３２】
「独立印刷物」とは、単一の媒体に画像が印刷されている印刷物を意味する。単一の媒体に印刷されている画像は、単一の画像であってもよく、離隔している複数の画像であってもよい。複数の独立印刷物は、その相対位置を変えて自在に配列することができる。
【００３３】
第一端末４と特典付与サーバ７は、通信ネットワーク１６を介在して通信可能に接続される。通信ネットワーク１６は、例えば、携帯電話会社が提供するＩＰネットワーク、固定電話会社が提供するＩＰネットワークなどである。
【００３４】
第一端末４は、カメラ４３、第一端末送信手段４１、第一端末受信手段４２を備えている。第一端末４は、カメラ付携帯電話、カメラ付通信機能付ＰＤＡ、カメラ付パーソナルコンピュータなどである。これらの中で、カメラ付携帯電話は広範に普及しており、初期費用の低減や多数の人を潜在的応募者にできることなどから、好適である。
【００３５】
カメラ４３は静止画を撮影できればよい。従って、静止画カメラでもよく、ビデオカメラであってもよい。ビデオカメラの場合には、撮影画像の一部分を切り出して静止画を得ることができるものであればよい。
【００３６】
第一端末送信手段４１と第一端末受信手段４２は、主として第一端末４のＩ／Ｏ装置である。
【００３７】
特典付与サーバ７は、第一端末記憶手段７３、基準画像記憶手段７４、第一端末対応特典記憶手段７６、画像判別手段７５、第一受取り手段７１、第一配信手段７２などを備えている。第一端末記憶手段７３と基準画像記憶手段７４は特典付与サーバ７の記憶装置の一部分である。第一端末対応特典記憶手段７６は、特典付与サーバ７の記憶装置の一部分であってもよく、例えば、ＣＰＵのスタックメモリーであってもよい。例えば、後に説明する第二特典付与システムにより、電子割引証を配布して終了するのであれば、第一端末対応特典記憶手段７６は、一時的な記憶手段でもかまわない。
【００３８】
画像判別手段７５は主として特典付与サーバ７に配置されたプログラムとＣＰＵにより構成される。
【００３９】
特典付与サーバ７は、物理的一体物であってもよく、別体のサブサーバーが有線、無線で通信可能に接続されていてもよい。例えば、画像判別手段７５と基準画像記憶手段７４はＡＳＰサービスを行う画像識別サブサーバーであってもよい。画像識別サブサーバーと第一端末からの撮影配列画像の受取りなどを担う他のサブサーバー間は、データのやり取りが、例えば、固有のＵＲＬ等に基づきサブサーバー間を接続して行われるものであってもよい。
【００４０】
次に第一特典付与システム１の動作を説明する。
【００４１】
まず、第一端末記憶手段７３に第一端末を特定するための第一端末識別子を記憶する。例えば、第一端末識別子は、名前、暗証番号などである。例えば、潜在的応募者が、第一端末から特典付与サーバに始めてアクセスした場合には、特典付与サーバ７に別途駐在させた登録用プログラムが動作し、第一端末４から送信された第一端末識別子を第一端末記憶手段７３に記憶する。
【００４２】
第一端末識別子の記憶は、他の端末からの登録動作によりおこなってもよく、また、たとえば、はがきによる通信に基づき、特典サーバ７側で入力をすることにより行ってもよい。
【００４３】
また、基準画像記憶手段７４に基準配列画像を記憶する。基準配列画像は、撮影配列画像と同様であり、例えば、図９から図１１を用いて説明する撮影配列画像と同様な画像のうちの一つが記憶される。
【００４４】
第一端末４の操作者は印刷画像を配列する。図９から図１１はこのような印刷物配列の一例である。図９を参照して、右から順に、犬画像が印刷されたカード２２、ゲームの説明書２１（攻略本と呼ばれることもある）、猫画像が印刷されたカード２３が横方向に配列されている。破線で囲った領域３２が撮影領域である。図１０を参照して、右から順に、カード２２、カード２３、猫の画像が印刷されたカード２４が横方向に配列されている。破線で囲った領域３２が撮影領域である。
【００４５】
印刷物の配列は、横方向に限られるものではなく、縦方向に配列してもよい。図１中に示した配列印刷物２０は、印刷物を縦方向に配列した一例である。また、斜めに配列してもよい。カードや説明書の方向も、全てが同一方向に統一される必要はなく、単一又は複数のカードを上下逆、９０度回転方向に配列してもよい。
【００４６】
図１１を参照して、カード２２、説明書２１、カード２３が横方向に配列され、説明書２１とカード２３が重複して配列されている。このように印刷物が一部重複して配列されてもよい。
【００４７】
また、一の配列に含まれる印刷物の数は３に限定されるものではなく、２であってもよく、４以上であってもよい。
【００４８】
カード２２、２３、２４は、一式のトレーディングカードを構成する一部のカードである。例えば、一式のトレーディングカードが３０枚の異なる動物の画像が印刷されたカードから構成されるものであって、その中から特定のカードを抜き出して、配列すればよい。
【００４９】
印刷物は、紙面の上方向から撮影した撮影画像が特定されるものであれば、立体物であってもよい。例えば本、雑誌などは厚みがあり立体物であるが、上方向から撮影すると撮影画像が特定されるものであり、印刷物に含まれる。本や雑誌などは、表表紙、裏表紙、各頁をそれぞれ独立の印刷物として使用することができる。また、カップ麺の蓋部分のように、上から撮影する場合に、撮影画像が特定されるものであってもよい。
【００５０】
ただし、人形、フィギャーなどの立体物であって、撮影方向により撮影画像が異なる立体物は、撮影画像と基準画像の判別が複雑化するので、独立印刷物とするには不向きである。
【００５１】
印刷物は、通常、トレーディングカード、その他のカード、ゲーム攻略本、その他の書籍、雑誌、ちらし、福引券、店舗にて配布される印刷物、商品購入者に渡す印刷物、商品包装、商品同封書類、又はのぼり、ＰＯＰ、ポスター、看板などの掲示物などである。これらは、従来から商品やサービスに伴い、一般的に販売や配布されているものであり、本システム導入のために格別に準備する必要がないため、本システムにふさわしいものである。掲示物は、他の種類の印刷物と組み合わせて、配列印刷物とすればよい。
【００５２】
これらのなかで、トレーディングカードとゲーム攻略本を含む印刷物の組み合わせは、両者が有価販売され、両者が相乗的に顧客吸引力を高めるものであり、好ましい印刷物である。また、定期刊行した一連の雑誌の組み合わせは、両者が有価販売されるからシステム提供者にとって、好ましい印刷物である。
【００５３】
図５は第一特典付与システムの動作フローチャートである。
【００５４】
第一端末４は、ステップＣ１で、配列された複数の独立印刷物をカメラ４３にて撮影し、撮影配列画像を取得する。ステップＣ２で、第一端末送信手段４１を経由して、撮影配列画像を特典付与サーバ７に送信する。このとき、第一端末識別子、ＰＩＮなどを同時に送信する。
【００５５】
ステップＳ１で特典付与サーバ７は、第一受取り手段７１により撮影配列画像を受取る。同時に受取った第一端末識別子などから、受信した第一端末を特定する。ステップＳ２で、画像判別手段７５が、受取った撮影配列画像と基準画像記憶手段７４に記憶された基準配列画像を比較してその一致・不一致を判別する。
【００５６】
画像判別手段７５は、例えば以下の動作を行う。撮影配列画像の、歪みやノイズを取り除き、拡大、縮小、回転など補正処理を施した後、特徴抽出を行い、特徴パラメータあるいは特徴ベクトルを求める。こうして得られた特徴量の中から基準配列画像に合致した特徴量、あるいは近い特徴量を識別によって決定し、それが属すカテゴリーに対応づけする操作を行う。上記のような類似度判定を行えば、撮影配列画像に対して、余白、必須含有領域などに、格別の要求は必要とされない。
【００５７】
ステップＳ２で、撮影配列画像と基準配列画像が一致と判別されると、ステップＳ３で、第一端末対応特典記憶手段７６に特典マークが記憶される。当該特典マークは、第一端末を特定する記号（例えば第一端末識別子）と対応付けられた状態で記憶される。撮影配列画像と基準配列画像が一致と判別されると、いわゆる「あたり」となる。
【００５８】
不一致と判別された場合には、ステップＳ４に移行し、動作を終了する。
【００５９】
第一特典付与システム１によれば、特典付与の実行は、例えば、次回の店舗来店時に行われる。店舗来店時に、例えば、会員カードに記憶された情報から第一端末識別子を特定し、第一端末対応特典記憶手段７６にアクセスし、特典マークが記憶されている場合に、商品の値引き、物品の贈呈などを行えばよい。
【００６０】
基準配列画像の内容は、非公開でもよく、公開でもよい。さらに、ヒントのみを公開してもよい。基準配列画像は、任意の時間経過後に変更してもよい。
【００６１】
また、基準画像記憶手段７４に記憶される基準配列画像は複数であってもよい。基準配列画像をＮ個（Ｎは２以上の正の整数）記憶した場合には、画像判別手段７５は、撮影配列画像とＮ個の基準配列画像のうちの一の基準配列画像が一致と判別されるまで、最大Ｎ回の判別動作を繰り返す。基準配列画像を複数記憶すれば、特典付与システムにおいてあたりの確率が増加することになる。
【００６２】
第二特典付与システム１１を説明する。図２は第二特典付与システム１１の概略説明図である。第二特典付与システムは、配列印刷物２０、第一端末４と特典付与サーバ７から構成される。第一端末４は表示手段４６を有する。特典付与サーバ７は第一配信手段７２を有する。また、特典付与サーバ７は特典コード記憶手段７７を有する。特典コード記憶手段７７には、予め、特典コードが記憶されている。第一端末４と特典付与サーバ７のその他の構成部分は、第一特典付与システム１と同一であり、同一の構成部分には、同一の符号を付してある。また、同一構成部分の説明は省略する。
【００６３】
表示手段４６は、主として例えば液晶表示装置である。第一配信手段７２は、サーバのＩ／Ｏ装置である。
【００６４】
図６は、第二特典付与システム１１の動作フローチャートである。ステップＣ１からステップＳ３までは、第一特典付与システム１の動作と同じであり、説明を省略する。
【００６５】
ステップＳ５で、特典付与サーバ７は、特典コード記憶手段７７に記憶された特典コードを取得し、第一配信手段７２から特典コードを配信する。ステップＣ３で、第一端末４は第一端末受信手段４２により特典コードを受信する。
【００６６】
特典コードは、例えば、バーコード、二次元コード、画像、数字、文字、音楽、動画、プログラムまたはこれらの組み合わせに関するコードである。
【００６７】
特典コードが、バーコード、二次元コード、画像、数字、文字に関するコードである場合は、ステップＣ４で第一端末４は、表示手段４６に特典コードを表示する。
【００６８】
第一端末操作者は、特典コード再生表示物を示して、店舗で割引を受けたり、特典コードに含まれるＵＲＬにアクセスして特別会員になったり、することができる。
【００６９】
特典コードが音楽や動画であり、第一端末４がこれらの再生手段を有すると、第一端末４が特典コードを再生する。また、特典コードがプログラムであり、第一端末４が実行表示手段を有する場合には、第一端末４がプログラムを実行表示する。さらに、第一端末４は、受信した特典コードを記憶する第一端末特典コード記憶手段を有することが好ましい。
【００７０】
第二特典付与システムにあっても、基準画像記憶手段７４に記憶される基準配列画像は複数であってもよい。特典コード記憶手段７７に記憶される特典コードは複数であってもよい。そして、特定の基準配列画像に特定の特典コードを対応付けておいてもよい。この場合には、あたりの場合に配信される特典コードが異なるものになる。このようにして、あたりの種類を特等、一等、二等のように、変化させてもよい。また、撮影配列画像送信時刻に応じて、配信される特典コードを変化させてもよい。さらに、特定の基準配列画像（あたりの種別）と、撮影配列画像送信時刻の両者に依存して、配信される特典コードを変化させてもよい。
【００７１】
第三特典付与システム２を説明する。図３は第三特典付与システム２の概略説明図である。第三特典付与システム２は、第二特典付与システム１１に第二端末５と第二特典実行サーバ８が付加されている。第二特典実行サーバ８と特典付与サーバ７は通信手段１７により通信可能に接続される。第二端末５と第二特典実行サーバ８は、通信手段１８により通信可能に接続される。通信手段１７、１８は、例えば、専用通信線、携帯電話会社が提供するＩＰネットワーク、固定電話会社が提供するＩＰネットワークなどである。
【００７２】
特典付与サーバ７と第二特典実行サーバ８は、一体のサーバであってもよい。この場合、通信手段１７は、サーバ内部の配線である。
【００７３】
第二端末５は、実行表示手段５４、第二プログラム記憶手段５３、第二端末送信手段５１、第二端末受信手段５２を備えている。第二端末５の一例は、コンピュータゲーム機やパーソナルコンピュータである。
【００７４】
第二端末送信手段５１と第二端末受信手段５２は、主として第二端末５のＩ／Ｏ装置である。実行表示手段５４は、主として第二端末５のＣＰＵと液晶表示装置、音声再生装置などから構成される。
【００７５】
第二特典実行サーバ８は、第二端末対応付記憶手段８３、プログラム記憶手段８４、特典照会手段８５、第二受取り手段８１、第二配信手段８２などを備えている。第二端末対応付記憶手段８３とプログラム記憶手段８４は第二特典実行サーバ８の記憶装置の一部分である。特典照会手段８５は主として特典実行サーバ８に配置されたプログラムとＣＰＵにより構成される。
【００７６】
第三特典付与システム２の動作を説明する。
【００７７】
第二端末対応付記憶手段８３に、予め、第一端末４と第二端末５を対応付けるための、第一端末識別子と第二端末識別子を記憶させておく。当該記憶は、第二端末が第二特典実行サーバ８にアクセスした時に起動される登録プログラムに従って、第二端末から入力したデータが記録されてもよい。また、はがきによる通信に基づき、第二特典実行サーバ８側で入力をすることにより行ってもよい。
【００７８】
プログラム記憶手段８４に、予め、特典であるプログラムを記憶させておく。プログラムの一例は、コンピュータゲーム上の特定の登場キャラクターに、特別の能力を付与するものであってもよく、特別の持ち物を与えるものであってよく、また、ゲームの進行を早めるものであってよい。また、例えば、日めくりカレンダー的に、画像が自動で変更されコンピュータ上に表示されるカレンダーであってもよい。
【００７９】
図７は、第三特典付与システム２の動作フローチャートである。ステップＣ１からステップＳ３までは、第一特典付与システム１の動作と同じであり、説明を省略する。
【００８０】
ステップＣ２１で、第二端末５は第二端末送信手段５１から特典実行信号を第二特典実行サーバ８に送信する。同時に、第二端末識別子、ＰＩＮなどが送信される。
【００８１】
ステップＳ２１で、第二特典実行サーバ８の特典照会手段８５は、第二端末対応付記憶手段８３にアクセスし、第二端末５に対応する第一端末４の第一端末識別子を取得する。ステップＳ２２で、第二特典実行サーバ８は、第一端末識別子を特典付与サーバ７に送信する。
【００８２】
ステップ５で、特典付与サーバ７は、第一端末識別子を受信し、第一端末対応特典記憶手段７６にアクセスし、第一端末識別子で特定される第一端末４に対応した特典付与マークの有無を確認する。当該特典マーク有の場合、ステップＳ６で、特典付与サーバ７は、特典付与マーク有の信号を第二特典実行サーバ８に返信する。
【００８３】
なお、当該特典マーク無しの場合には、動作を終了する。
【００８４】
第二受取り手段８１を経由して特典マーク有の信号を受信した第二特典実行サーバ８は、プログラム記憶手段８４にアクセスしてプログラムを取得する。ステップＳ２４で、第二特典実行サーバ８は第二配信手段８２を経由して、第二端末５にプログラムを送信する。
【００８５】
ステップＣ２２で、第二端末は第二端末受信手段５２を経由してプログラムを受信し、当該プログラムを第二プログラム記憶手段５３に記憶する。ステップＣ２３で、第二端末は実行表示手段５４により、プログラムを実行し、表示する。
【００８６】
当該プログラムは、例えば、メインのゲームプログラム実行と同時に起動実行されるサブプログラムであってもよく、この場合は、メインのゲームプログラムに付随して、同時にあるいは、時間分割して当該サブプログラムが実行される。
【００８７】
以上説明した第三特典付与システムにあっては、第一端末と第二端末が同一端末であってもよい。当該同一端末の具体例として、カメラ付携帯電話、カメラ付通信機能付ＰＤＡ、カメラ付パーソナルコンピュータ、ハンディーターミナル、カメラ機能と通信機能を搭載したゲーム機が挙げられる。この中でカメラ機能と通信機能を搭載したゲーム機は、広範に普及しており、（あるいは今後の普及が見込まれ）多数の人を潜在的応募者にできることから、好適である。
【００８８】
第四特典付与システム３を説明する。図４は第四特典付与システム３の概略説明図である。
【００８９】
第四特典付与システム３は、第二特典付与システム１１に第三端末６と第三特典実行サーバ９が付加されている。
【００９０】
第三端末６は、すでに説明した第二端末５と類似しており、実行表示手段５４の替わりにコンテンツ再生手段６３を有する。第三端末６の一例は、パーソナルコンピュータや携帯電話機である。再生手段６３は、主として第三端末６のＣＰＵと液晶表示装置、音声再生装置などから構成される。
【００９１】
第三特典実行サーバ９は、すでに説明した第二特典実行サーバ８と類似しており、プログラム記憶手段の替わりに、コンテンツ記憶手段９４を有する。コンテンツ記憶手段９４は第三特典実行サーバ９の記憶装置の一部分である。
【００９２】
コンテンツ記憶手段９４には、予めコンテンツが記憶される。当該コンテンツは特典であり、静止画、動画、音楽、これらの複合物が含まれる。具体的には、待ち受け画面、着信メロディー、コンピュータ用の壁紙などが含まれる。
【００９３】
図８は、第四特典付与システム３の動作フローチャートである。第四特典付与システム３の動作は、第三特典付与システムと類似している。ここでは、主たる相違点を説明する。
【００９４】
第三受取り手段９１を経由して特典付与マーク有の信号を受信した第三特典実行サーバ９は、ステップＳ３３で、コンテンツ記憶手段９４にアクセスし、コンテンツを取得する。ステップＳ３４で、第三特典実行サーバ９は第三配信手段９２を経由して、第三端末６にコンテンツを送信する。
【００９５】
ステップＣ３２で、第三端末６は第三端末受信手段６２を経由してコンテンツを受信する。第三端末６は、第三コンテンツ記憶手段をさらに備え、当該コンテンツを第三コンテンツ記憶手段に記憶してもよい。
【００９６】
ステップＣ３３で、第三端末６はコンテンツ再生手段６３により、コンテンツを再生する。
【００９７】
以上説明した第四特典付与システムにおいて、第一端末と第三端末は、同一端末であってもよい。当該同一端末の具体例としては、カメラ付携帯電話、カメラ付通信機能付ＰＤＡ、カメラ付パーソナルコンピュータ、ハンディーターミナルなどが挙げられる。
【００９８】
以上説明した第三特典付与システム２と第四特典付与システム３において、プログラムやコンテンツの配信動作は、実際にプログラムやコンテンツが配信される態様だけでなく、サーバから端末へのＵＲＬの送信、端末からＵＲＬへの接続要求、ＵＲＬとの接続確立の動作を経由して、別のサーバからプログラムやコンテンツの配信が行われる態様であってもよい。本願発明にいう、サーバから端末へのプログラムやコンテンツの配信は、上記のようなＵＲＬのやり取りを介在して行われる配信を含むものである。この場合、プログラム記憶手段８４とコンテンツ記憶手段９４には、特定のＵＲＬが記憶される。
【図面の簡単な説明】
【００９９】
【図１】第一特典付与システム１の概略説明図である。
【図２】第二特典付与システム１１の概略説明図である。
【図３】第三特典付与システム２の概略説明図である。
【図４】第四特典付与システム３の概略説明図である。
【図５】第一特典付与システム１の動作フローチャートである。
【図６】第二特典付与システム１１の動作フローチャートである。
【図７】第三特典付与システム２の動作フローチャートである。
【図８】第四特典付与システム３の動作フローチャートである。
【図９】複数の独立印刷物配列の一例である。
【図１０】複数の独立印刷物配列の他の例である。
【図１１】複数の独立印刷物配列のその他の例である。
【符号の説明】
【０１００】
１  第一特典付与システム
２  第三特典付与システム
３  第四特典付与システム
４  第一端末
５  第二端末
６  第三端末
７  特典付与サーバ
８  第二特典実行サーバ
９  第三特典実行サーバ
１１  第二特典付与システム
２０  配列印刷物
２１  ゲームの説明書
２２  カード
２３  カード
２４  カード
３２  撮影領域
【図１】
0004922953.tif 000002
【図２】
0004922953.tif 000003
【図３】
0004922953.tif 000004
【図４】
0004922953.tif 000005
【図５】
0004922953.tif 000006
【図６】
0004922953.tif 000007
【図７】
0004922953.tif 000008
【図８】
0004922953.tif 000009
【図９】
0004922953.tif 000010
【図１０】
0004922953.tif 000011
【図１１】
0004922953.tif 000012